(57)【要約】【課題】  簡単な手順で支持枠組の横枠に取り付けることができ、さらに取り付け作業中に各構成部材をばらばらにする必要もなく、支持枠組の横枠に堅固に取り付けることができる仮囲い板取付具を提供する。【解決手段】  支持枠組１０の横枠１０ａに沿って、仮囲い板１１を互いの側面体１１ａを突き合わせて並べ、これら仮囲い板１１を前記横枠１０ａに取り付けるようにしており、前記横枠１０ａを跨ぐようにした把持体１の一端を他端より長くし、この把持体１の一端に仮囲い板１１の側面体１１ａに設けた通孔１２への引掛け部２ａを設け、前記把持体１の他端に仮囲い板１１の側面体１１ａに設けた折返し部１３への引掛け部２ｂを設け、さらに前記把持体１の中央部に前記横枠１０ａへの固定手段３を取り付けたものとしている。【選択図面】    図２
2006009431.tif 000002
【特許請求の範囲】
【請求項１】
支持枠組（１０）の横枠（１０ａ）に沿って、仮囲い板（１１）を互いの側面体（１１ａ）を突き合わせて並べ、これら仮囲い板（１１）を前記横枠（１０ａ）に取り付けるようにした仮囲い板取付具であって、前記横枠（１０ａ）を跨ぐようにした把持体（１）の一端を他端より長くし、この把持体（１）の一端に仮囲い板（１１）の側面体（１１ａ）に設けた通孔（１２）への引掛け部（２ａ）を設け、前記把持体（１）の他端に仮囲い板（１１）の側面体（１１ａ）に設けた折返し部（１３）への引掛け部（２ｂ）を設け、さらに前記把持体（１）の中央部に前記横枠（１０ａ）への固定手段（３）を取り付けたことを特徴とする仮囲い板取付具。
【請求項２】
前記固定手段（３）を把持体（１）の中央部に設けたネジ孔（５）に止めボルト（６）をねじ込んだものとしたことを特徴とする請求項１記載の仮囲い板取付具。
【請求項３】
前記折返し部（１３）に折返し片（１３ａ）を設けたことを特徴とする請求項１記載の仮囲い板取付具。
【発明の詳細な説明】
【技術分野】
【０００１】
この発明は、建築工事現場、道路工事現場等で安全に作業をするために使用される仮囲い板の支持枠への取付具に関するものである。
【背景技術】
【０００２】
従来の仮囲い板取付具は、例えば図１０、１１に示したように、仮囲い板１１を支持枠組１０の横枠１０ａに取り付けるようにしており、横枠１０ａの保持体２１を備えると共に、この保持体２１に仮囲い板１１の隣り合う互いの側面体１１ａ、１１ａへの固定手段２２を備えたものとしている。前記保持体２１は、金属板などから形成されており、下部に保持溝２１ａを設けると共に、この保持溝２１ａの上方に通孔２３、２３を設けている。前記固定手段２２は、フックボルト２４のフック部２４ａを仮囲い板１１の側面体１１ａに設けた通孔１２に引っ掛けると共に、このフックボルト２４のフック部２４ａ先端およびボルト部２４ｂを保持体２１に設けた通孔２３、２３に貫通させ、ボルト部２４ｂにナット２５をねじ込んで保持体２１を仮囲い板１１の側面体１１ａに固定するようにしている（特許文献１）。
【０００３】
このように構成された仮囲い板取付具は、図１３に示したように、建築工事現場や道路工事現場等の外周に設けられた支持枠組１０の横枠１０ａに沿って、仮囲い板１１の互いの側面体１１ａを突き合わせて並べ、これら仮囲い板１１を前記横枠１０ａに取り付けることができる。すなわち、仮囲い板１１の互いに隣り合う側面体１１ａの嵌合部１４どうしを突き合わせて嵌め込み、前記側面体１１ａに設けた通孔１２にフックボルト２４のフック部２４ａを引っ掛ける。次に、このフックボルト２４のフック部２４ａ先端およびボルト部２４ｂを保持体２１の通孔２３、２３に貫通させ、保持体２１の保持溝２１ａに支持枠組１０の横枠１０ａを保持させる。そして、フックボルト２４のボルト部２４ｂにナット１５をねじ込んで保持体２１を仮囲い板１１に固定すればよい。
【０００４】
この従来の仮囲い板取付具では、仮囲い板１１を支持枠組１０の横枠１０ａに取り付けると、隣り合う互いの側面体１１ａ、１１ａどうしも固定され、互いに隣り合う仮囲い板１１、１１間に隙間が生じないものとなるので、仮囲いとしての機能を充分に果たすものとなる。さらに、この仮囲い板取付具を使用した仮囲い板１１の板本体１１ｂの前面には何も突出せず、仮囲い板１１の体裁が悪くなることはなく、また歩行者が板本体１１ｂに衣服を引っ掛けることもなく安全な状態で使用することができる。
【特許文献１】特開平６−３２３０４５号公報（第１頁、図１〜５）
【発明の開示】
【発明が解決しようとする課題】
【０００５】
しかしながら、従来の仮囲い板取付具を使用するには、上記したような複雑な手順で支持枠組１０の横枠１０ａに取り付けなければならず、その取り付け作業が非常に面倒であるという問題点を有していた。
【０００６】
さらに、従来の仮囲い板取付具では、前記取り付け作業中に各構成部材をばらばらにしてから、再び組み合わせる必要があるため、その取り付け作業中に各構成部材が取り扱い難く作業性に劣るという問題点を有していた。
【０００７】
また、従来の仮囲い板取付具では、上記したように保持体２１の保持溝２１ａを支持枠組１０の横枠１０ａに載せておくことにより、この保持溝２１ａに横枠１０ａを保持しているだけであるので、その保持力が弱いという問題点を有していた。
【０００８】
そこで、この発明は、上記従来の仮囲い板取付具が有する問題点を解決することをその課題としており、簡単な手順で支持枠組の横枠に取り付けることができ、さらに取り付け作業中に各構成部材をばらばらにする必要もなく、支持枠組の横枠に堅固に取り付けることができる仮囲い板取付具を提供することを目的としてなされたものである。
【課題を解決するための手段】
【０００９】
そのため、この発明の仮囲い板取付具は、支持枠組１０の横枠１０ａに沿って、仮囲い板１１を互いの側面体１１ａを突き合わせて並べ、これら仮囲い板１１を前記横枠１０ａに取り付けるようにしており、前記横枠１０ａを跨ぐようにした把持体１の一端を他端より長くし、この把持体１の一端に仮囲い板１１の側面体１１ａに設けた通孔１２への引掛け部２ａを設け、前記把持体１の他端に仮囲い板１１の側面体１１ａに設けた折返し部１３への引掛け部２ｂを設け、さらに前記把持体１の中央部に前記横枠１０ａへの固定手段３を取り付けたものとしている。
【００１０】
そして、この発明の仮囲い板取付具では、前記固定手段３を把持体１の中央部に設けたネジ孔５に止めボルト６をねじ込んだものとしている。
【００１１】
さらに、この発明の仮囲い板取付具は、前記折返し部１３に折返し片１３ａを設けたものとしている。
【発明の効果】
【００１２】
この発明の仮囲い板取付具は、以上に述べたように構成されているので、簡単な手順で支持枠組１０の横枠１０ａに取り付けることができ、その取り付け作業が非常に容易なものとなる。
【００１３】
さらに、この発明の仮囲い板取付具は、取り付け作業中に各構成部材をばらばらにする必要がないので、その取り付け作業中に各構成部材を取り扱い易く、作業性に優れたものとなる。
【００１４】
また、この発明の仮囲い板取付具は、支持枠組１０の横枠１０ａに堅固に取り付けることができるので、その横枠１０ａの保持力は強いものとなる。
【発明を実施するための最良の形態】
【００１５】
以下、この発明の仮囲い板取付具を実施するための最良の形態について、図面に基づき詳細に説明する。
【００１６】
この発明の仮囲い板取付具は、図１に示したように、支持枠組１０の横枠１０ａに沿って、仮囲い板１１を互いの側面体１１ａを突き合わせて並べ、これら仮囲い板１１を前記横枠１０ａに取り付けるようにしている。そして、この発明の仮囲い板取付具は、図２〜４、５〜７に示したように、前記横枠１０ａを跨ぐようにした把持体１の一端を他端より長くし、この把持体１の一端に仮囲い板１１の側面体１１ａに設けた通孔１２への引掛け部２ａを設け、把持体１の他端に仮囲い板１１の側面体１１ａに設けた折返し部１３への引掛け部２ｂを設けたものとしている。さらに、この発明の仮囲い板取付具は、前記把持体１の中央部に前記横枠１０ａへの固定手段３を取り付けたものとしている。
【００１７】
把持体１は、金属棒や金属板などから形成されており、前記横枠１０ａを跨ぐようにした略Ｕ字形や略コ字形とするのが好ましい。すなわち、図示したように、支持枠組１０の横枠１０ａを円形パイプとした場合には、把持体１を略Ｕ字形にすると、この把持体１は、横枠１０ａの周囲に丁度、沿うものとなる。また、支持枠組１０の横枠１０ａを角形パイプとした場合には、把持体１を略コ字形にすると、この把持体１は、横枠１０ａの周囲に丁度、沿うものとなる。さらに、前記把持体１の引掛け部２ａは、仮囲い板１１の側面体１１ａに設けた通孔１２に引っ掛かるように、把持体１の引掛け部２ｂは、仮囲い板１１の側面体１１ａに設けた折返し部１３に引っ掛かるように、それぞれ鉤状に形成したものとしている。
【００１８】
固定手段３は、図２〜４に示したものでは、把持体１の中央側部に溶接するなどして固着したナット４のネジ孔５に止めボルト６をねじ込んだものとしており、図５〜７に示したものでは、把持体１の中央平坦部に形成したネジ孔５に止めボルト６をねじ込んだものとしており、この止めボルト６を前記ネジ孔５、５にさらにねじ込むことにより、止めボルト６の先端部を支持枠組１０の横枠１０ａに押し付けることにより、この横枠１０ａに固定するようにしている。
【００１９】
支持枠組１０は、前記横枠１０ａを仮囲い板１１の上部、中央部、下部に位置するようにして、これら横枠１０ａを複数の縦枠１０ｂによって支持するようにしており、さらにこれら縦枠１０ｂを支持枠１０ｃにより支持して倒れないようにしている。
【００２０】
仮囲い板１１は、図８、９に示したように、板本体１１ｂの両端部を内側に折り曲げて前記側面体１１ａを形成し、この側面体１１ａの上部、中央部、下部の適宜位置に前記通孔１２を設けたものとしている。この通孔１２は、丸孔、四角孔などとしたり、また丸、四角などの縦長孔とすることができ、前記上部、中央部、下部の適宜位置に一個または複数個設けたものとしている。そして、前記仮囲い板１１は、側面体１１ａの端部をさらに内側に折り曲げて前記折返し部１３を設けたものとしている。さらに、前記仮囲い板１１の側面体１１ａには、互いの側面体１１ａを突き合わせたときに隙間が生じないように、図示したように、一側面体１１ａを凹形状とし、他側面体１１ａを凸形状として、凹凸嵌合するようにした嵌合部１４を形成したものとしている。
【００２１】
なお、前記折返し部１３は、その端部をさらに内側に折り曲げて折返し片１３ａを形成したものとしている。この折返し片１３ａを形成することにより、折返し部１３は補強され、把持体１の引掛け部２ｂを引っ掛けたときに曲がったりせず、強度性に優れたものとなる。
【００２２】
そこで、このように構成した仮囲い板取付具を、建築工事現場や道路工事現場等の外周に設けられた支持枠組１０の横枠１０ａに沿って、互いに隣り合う側面体１１ａを突き合わせて並べた仮囲い板１１に取り付けるには、次のようにして行う。
【００２３】
先ず、支持枠組１０の横枠１０ａを把持体１で把持すると共に、把持体１の一端に設けた引掛け部２ａを、互いに隣り合う側面体１１ａに設けたそれぞれの通孔１２に引っ掛け、把持体１の他端に設けた引掛け部２ｂを、互いに隣り合う側面体１１ａの一方に設けた折返し部１３に引っ掛ける。そして、把持体１の中央部に形成したネジ孔５、５にねじ込んだ止めボルト６をさらにねじ込むことにより、止めボルト６の先端部を支持枠組１０の横枠１０ａに押し付ければよい。
【００２４】
このようにすると、この発明の仮囲い板取付具は、仮囲い板１１を支持枠組１０の横枠１０ａに取り付けられ、互いに隣り合う側面体１１ａ、１１ａどうしも固定され、前記横枠１０ａと前記側面体１１ａ、１１ａの三者を堅固に固定することができる。
【００２５】
したがって、この発明の仮囲い板取付具は、簡単な手順で支持枠組２０の横枠２０ａに取り付けることができ、さらに取り付け作業中に各構成部材をばらばらにする必要もなく、支持枠組２０の横枠２０ａに堅固に取り付けることができるものとなる。
【図面の簡単な説明】
【００２６】
【図１】この発明の仮囲い板取付具を使用して、仮囲い板を支持枠に取り付けた状態を示す全体斜視図である。
【図２】この発明の仮囲い板取付具の一実施形態を示す斜視図である。
【図３】図２に示すこの発明の仮囲い板取付具の側面図である。
【図４】図２に示すこの発明の仮囲い板取付具の分解斜視図である。
【図５】この発明の仮囲い板取付具の他の実施形態を示す斜視図である。
【図６】図５に示すこの発明の仮囲い板取付具の側面図である。
【図７】図５に示すこの発明の仮囲い板取付具の分解斜視図である。
【図８】この発明の仮囲い板取付具を使用して、支持枠に取り付ける仮囲い板の斜視図である。
【図９】図８に示す仮囲い板の部分拡大斜視図である。
【図１０】従来の仮囲い板取付具の一例を示す斜視図である。
【図１１】図１０に示す従来の仮囲い板取付具の分解斜視図である。
【図１２】従来の仮囲い板取付具を使用して、支持枠に取り付ける仮囲い板の斜視図である。
【図１３】従来の仮囲い板取付具を使用して、仮囲い板を支持枠に取り付けた状態を示す全体斜視図である。
【符号の説明】
【００２７】
１  把持体
２ａ  引掛け部
２ｂ  引掛け部
３  固定手段
５  ネジ孔
６  止めボルト
１０  支持枠組
１０ａ  横枠
１１  仮囲い板
１１ａ  側面体
１２  通孔
１３  折返し部
１３ａ  折返し片
【図１】
2006009431.tif 000003
【図２】
2006009431.tif 000004
【図３】
2006009431.tif 000005
【図４】
2006009431.tif 000006
【図５】
2006009431.tif 000007
【図６】
2006009431.tif 000008
【図７】
2006009431.tif 000009
【図８】
2006009431.tif 000010
【図９】
2006009431.tif 000011
【図１０】
2006009431.tif 000012
【図１１】
2006009431.tif 000013
【図１２】
2006009431.tif 000014
【図１３】
2006009431.tif 000015